(57)【要約】【課題】装飾部材の移動態様を多様化させることが可能であると共に、移動の際の装飾部材のがたつきを抑制することが可能な遊技機を提供すること。【解決手段】装飾部材６１と、装飾部材６１に一体にまたは別体に設けられ、電気的駆動源７７と該電気的駆動源７７からの駆動力により回転する回転体７７と２つの支持部７３，７３とを有した移動部材７１と、移動部材７１の回転体７７が転動可能に係合する曲線形状を有する第１レール１０３と該第１レール１０３と平行な曲線形状を有して移動部材７１の２つの支持部７３，７３が摺動可能に係合する第２レール１０４とが形成されたベース体１０２とを備え、移動部材７１には、２つの支持部７３，７３を結ぶ線分の中間点からその線分に直角に延びた線上に回転体７７の回転の中心が位置するように該２つの支持部７３，７３および該回転体７７が配置されている。【選択図】図１０
2012065754.tif 000002
【特許請求の範囲】
【請求項１】
装飾部材と、前記装飾部材を移動させる移動機構を備えた遊技機において、
前記移動機構は、
前記装飾部材に一体にまたは別体に設けられ、電気的駆動源と該電気的駆動源からの駆動力により回転する回転体と２つの支持部とを有した移動部材と、
前記移動部材の回転体が転動可能に係合する曲線形状を有する第１レールと該第１レールと平行な曲線形状を有して前記移動部材の２つの支持部が摺動可能に係合する第２レールとが形成されたベース体とを備え、
前記移動部材には、前記２つの支持部を結ぶ線分の中間点からその線分に直角に延びた線上に前記回転体の回転の中心が位置するように該２つの支持部および該回転体が配置されていること特徴とする遊技機。
【請求項２】
前記移動部材の２つの支持部のうち該移動部材の進行方向に対して前方に配置される支持部は、後方に配置された支持部よりも、前記移動部材が移動する際の前記第２レールからの力が主に加わるように配置されていることを特徴とする請求項１に記載の遊技機。
【請求項３】
前記２つの支持部を結ぶ線分の中間点が中点であることを特徴とする請求項１または２に記載の遊技機。
【請求項４】
前記第１レールおよび前記第２レールは円弧形状を有していることを特徴とする請求項１から３のいずれか一項に記載の遊技機。
【請求項５】
前記支持部は、前記第２レールに係合して転動可能なローラー部材を有していることを特徴とする請求項１から４のいずれか一項に記載の遊技機。
【請求項６】
前記第１レールはラックであると共に、前記回転体は該ラックに噛み合うピニオンであることを特徴とする請求項１から５のいずれか一項に記載の遊技機。
【発明の詳細な説明】
【技術分野】
【０００１】
本発明は、パチンコ遊技機などの遊技機に関し、更に詳しくは、遊技の進行状況に応じて装飾部材を移動させる移動機構を備えた遊技機に関するものである。
【背景技術】
【０００２】
従来、このような装飾部材を移動させる移動機構を備えた遊技機としては、下記特許文献１に開示されているようなものがある。特許文献１の図６に記載されるように、上下方向に歯部７４が配されたラック７２にアーム部材６２を介して装飾部材（メダル）６２を連結固定すると共に、ラック７２の歯部７４に噛み合う伝達歯車１４６を、ピニオン１２８を介してモータ１２４の出力歯車１２６によって回転駆動することで、装飾部材６２を上下方向に移動することが可能になっている。
【先行技術文献】
【特許文献】
【０００３】
【特許文献１】特開２００６−１９２１５４号公報
【発明の概要】
【発明が解決しようとする課題】
【０００４】
しかしながら、このような移動機構では、装飾部材を上下方向に直線的に移動させる構成になっているため、その装飾部材の移動の軌跡が単調なものとなってしまっており、遊技者の興趣が損なわれやすく、その演出効果が高いとは言えないものであった。また、このような移動機構では、装飾部材が移動する際にがたついてしまうおそれがあった。
【０００５】
そこで、本発明は、装飾部材の移動態様を多様化させることが可能であると共に、移動の際の装飾部材のがたつきを抑制することが可能な遊技機を提供することを目的とする。
【課題を解決するための手段】
【０００６】
上記課題を解決するために本発明は、装飾部材と、前記装飾部材を移動させる移動機構を備えた遊技機において、前記移動機構は、前記装飾部材に一体にまたは別体に設けられ、電気的駆動源と該電気的駆動源からの駆動力により回転する回転体と２つの支持部とを有した移動部材と、前記移動部材の回転体が転動可能に係合する曲線形状を有する第１レールと該第１レールと平行な曲線形状を有して前記移動部材の２つの支持部が摺動可能に係合する第２レールとが形成されたベース体とを備え、前記移動部材には、前記２つの支持部を結ぶ線分の中間点からその線分に直角に延びた線上に前記回転体の回転の中心が位置するように該２つの支持部および該回転体が配置されていることを要旨とするものである。
【０００７】
上記構成を有する遊技機によれば、興趣を向上させるために移動部材の移動の軌跡を単調な直線ではなく曲線に構成する際のその移動部材の曲線状の移動を、がたつきを抑制してスムーズにすることができる。これにより装飾部材の移動態様を多様化させることができ、従来よりもその演出効果を高くすることに貢献する。
【０００８】
この場合、前記移動部材の２つの支持部のうち該移動部材の進行方向に対して前方に配置される支持部は、後方に配置された支持部よりも、前記移動部材が移動する際の前記第２レールからの力が主に加わるように配置されている構成にすれば良い。
【０００９】
このような構成によれば、移動部材に設けられた２つの支持部材のうち進行方向に対して前方に配置された支持部には、移動部材が移動する際の曲線形状を有する第２レールからの力を主に受けるような機能を持たせると共に、後方に配置された支持部は移動部材の進行方向を変更させないようにガイドする機能を持たせることで、移動部材（装飾部材）が正規の進行方向から逸脱しないように抑制することができる。
【００１０】
また、前記２つの支持部を結ぶ線分の中間点が中点である構成にすると良い。このような構成、すなわち、一方の支持部Ａ、回転体の回転中心Ｂ、２つの支持部を結ぶ線分の中点Ｃの成す角度（∠ＡＢＣ）と、他方の支持部Ｄ、回転体の回転中心Ｂ、２つの支持部を結ぶ線分の中点Ｃの成す角度（∠ＤＢＣ）が同じである構成（言い換えると、二等辺三角形の頂角の点に回転体の回転中心を配置し、左右の底角の２点に２つの支持部を配置した構成）になっているので、移動部材の曲線状の移動のがたつきを低減し、その移動を安定したスムーズなものとすることが可能である。
【００１１】
更に、前記ベース体の第１レールおよび第２レールは円弧形状を有している構成にすると良い。このような構成によれば、興趣を向上させるために移動部材の移動の軌跡を単調な直線ではなく円弧に構成する際のその移動部材の円弧状の移動を、がたつきを抑制してスムーズにすることができると共に、その演出効果を高くすることが可能である。
【００１２】
そして、前記支持部は、前記第２レールに係合して転動可能なローラー部材を有している構成にすると良い。このような構成によれば、２つの支持部の第２レールに沿った摺動移動が滑らかになるので、移動部材（装飾部材）の曲線状の移動をがたつきなく安定したスムーズなものとすることが可能である。
【００１３】
更に、前記第１レールはラックであると共に、前記回転体は該ラックに噛み合うピニオンである構成にすれば、簡易な構成で移動部材（装飾部材）を曲線状に移動させることが可能である。
【発明の効果】
【００１４】
本発明に係る遊技機によれば、装飾部材の移動態様を多様化させることが可能であると共に、移動の際の装飾部材のがたつきを抑制することが可能である。
【図面の簡単な説明】
【００１５】
【図１】本発明の一実施形態に係る遊技機の一例を示した正面図である。
【図２】図１の遊技機が備える遊技盤の正面図である。
【図３】センター役物が備えるセンターベースと装飾部材および移動機構を備えた可動演出装置の正面図である。
【図４】可動演出装置を前面側から視た外観斜視図である。
【図５】可動演出装置を背面側から視た外観斜視図である。
【図６】可動演出装置を前面側から視た分解斜視図である。
【図７】可動演出装置を背面側から視た分解斜視図である。
【図８】（ａ）は図６の可動演出装置が備える装飾部材および移動部材を拡大して示した図、（ｂ）は図７の可動演出装置が備える装飾部材および移動部材を拡大して示した図である。
【図９】移動部材の移動を説明する図である。
【図１０】移動部材に設けられたピニオン（回転体）と２つの支持部の位置関係を説明する図である。
【発明を実施するための形態】
【００１６】
以下、本発明に係る遊技機の実施の形態について図面を参照して詳細に説明する。図１は本発明の実施形態に係る遊技機を示した正面図である。図示されるように、遊技機１はパチンコ遊技機である。
【００１７】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００１８】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から視た場合の左側、右側、上側、下側のことである。また、遊技機１を構成する各種部材においても、表側、裏側、前面側、後側等という場合、特に断りがない限り、遊技機１に装着された状態での表側、裏側、前面側、後側方向等である。
【００１９】
図１に示されるように、ガラス枠４には、遊技盤５の位置にガラス板またはプラスチック板等の透明板が嵌め込まれており、この透明板を通して前面側から遊技盤５の遊技領域６が視認可能になっている。また、ガラス枠４には、遊技領域６へ発射するための遊技球を入れる上皿ユニット７が一体的に形成されている。上皿ユニット７には、貯留されている遊技球を下皿ユニット８に流下させるための上皿操作部９等が設けられている。また、ガラス枠４の上部左右両側には、スピーカ１０，１０が設けられている。
【００２０】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２１】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２２】
図２に示されるように、遊技盤５の遊技領域６には、その中心線上において上から順に、遊技状況に応じた演出を行うことが可能な遊技演出装置としての表示装置１７、電動チューリップからなる始動入賞装置１８、長方形の開口部を開閉可能に覆っている蓋からなるアタッカー形式の特別入賞装置１９、アウト口２０が配置されている。また、遊技領域６には、風車２１や、流下する遊技球が衝突することにより遊技球の流下態様に変化を与える障害物としての図示しない遊技釘が複数立設されている。遊技領域６を流下する遊技球は、遊技釘に衝突したときの条件に応じて様々な態様に変化して流下される。
【００２３】
このような遊技機１においては、発射ハンドル１２の操作により発射装置から遊技領域６に遊技球を発射すると、遊技球が遊技領域６の表面を転動しながら落下し、その遊技球が始動入賞装置１８、特別入賞装置１９等の入賞装置に入ると、所定数の賞球遊技球が、払い出されるように構成されている。
【００２４】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００２５】
表示装置１７としては、液晶表示パネルが適用されており、その矩形状の表示画面（表示部１７ａ）において種々なる図柄等が表示されるようになっている。この表示部１７ａの前面の周囲には、遊技の装飾効果（遊技演出効果）を高めるためのセンター役物３０が配設されている。センター役物３０は、前面側装飾部材４０や可動演出装置５０などを備えている。前面側装飾部材４０は、遊技盤５の前面側に設けられており、その略中央には表示部１７ａを視認可能な開口部４０ａが形成され、表示部１７ａの周囲を装飾している。
【００２６】
可動演出装置５０は、レンズ部６２を有した装飾部材６１と、この装飾部材６１の背面側に配され、５つのレンズ部８２を備えて右側に膨らんだ円弧形状を有したレンズカバー部材８１を備えている。装飾部材６１は、レンズカバー部材８１の背面に設けられた後述する移動機構によって、レンズカバー部材８１の前面側を円弧状の軌跡を描きながら移動することが可能になっている。
【００２７】
例えば、入賞装置に遊技球が入賞して遊技状態が変化し、遊技機１に備えられる制御回路等から可動演出装置５０を駆動させる命令が発生すると、装飾部材６１のレンズ部６２は、図２に示されるようなレンズカバー部材８１の下から１番目に配置されるレンズ部８２と重なる第１位置（初期位置）Ｐ１、下から２番目に配置されるレンズ部８２と重なる第２位置Ｐ２、下から３番目に配置されるレンズ部８２と重なる第３位置Ｐ３、下から４番目に配置されるレンズ部８２と重なる第４位置Ｐ４、下から５番目に配置されるレンズ部８２と重なる第５位置Ｐ５にそれぞれ移動されるように構成されている。
【００２８】
図３は、センター役物３０が備えるセンターベース４１と、このセンターベース４１に取り付けられた可動演出装置５０の正面図を示している。尚、図３においては遊技盤５、前面側装飾部材４０の記載は省略されている。
【００２９】
図示されるように、センターベース４１は、可動演出装置５０などの部材を取り付けるための枠体状の部材である。尚、前面側装飾部材４０は遊技盤５の前面側に装着され、センターベース４１は遊技盤５の背面側に装着されるようになっており、遊技盤５は前面側装飾部材４０とセンターベース４１との間に挟み込まれるように配設されるように構成されている。
【００３０】
センターベース４１は、表示装置１７の表示部１７ａの周囲を囲むように形成されており、その中央部分には、表示部１７ａを視認可能にするための開口部４１ａが設けられている。この場合、開口部４１ａの背面側に表示装置１７は取り付けられるようになっている。また、可動演出装置５０は、表示部１７ａの右側に配置されるように、センターベース４１に取り付けられている。
【００３１】
図４は、可動演出装置５０を前面側から視た外観斜視図、図５は、可動演出装置５０を背面側から視た外観斜視図を示している。また、図６は、可動演出装置５０を前面側から視た分解斜視図、図７は、可動演出装置５０を背面側から視た分解斜視図である。また、図８は、図６および図７の装飾部材６１と移動部材７１を拡大して示した図である。更に、図９は、移動部材７１の移動を説明する図、図１０は、移動部材７１に設けられたピニオン（回転体）７７と２つの支持部７３，７３の位置関係を説明する図である。
【００３２】
図６および図７に示されように、可動演出装置５０は、装飾部材６１、移動部材７１、レンズカバー部材８１、ＬＥＤ基板９１、カバー体１０１、ベース体１０２などを備えている。
【００３３】
装飾部材６１は、レンズカバー部材８１の前面側に浮いた状態に配置される部材で、移動部材７１に連結部材７８を介して取り付けられるようになっており、移動部材７１の移動に伴って移動することが可能になっている。装飾部材６１の中央よりも右側部分には、透明または半透明の材料から成形されたレンズ部６２が設けられている。
【００３４】
移動部材７１は、カバー体１０１とベース体１０２からなる円弧形状の筐体の内部に移動可能に収納されるようになっている。カバー体１０１の前面には、右側に膨らんだ円弧形状を有するＬＥＤ基板９１が取り付けられるようになっている。このＬＥＤ基板９１の前面には、複数のＬＥＤ９２が実装されている。
【００３５】
またＬＥＤ基板９１の前面には、ＬＥＤ基板９１を覆うように右側に膨らんだ円弧形状を有するレンズカバー部材８１が取り付けられている。このレンズカバー部材８１には、その円弧形状に沿って５つのレンズ部８２，８２，８２，・・・が形成されている。レンズ部８２は、透明または半透明からなる材料から成形されており、背面に配置されるＬＥＤ９２からの光が照射されると、その光がレンズ部８２の前面で視認可能になっている。
【００３６】
レンズカバー部材８１に設けられた５つのレンズ部８２は、例えば下から上に向けて順に大当たりになる確立が高く（大当たりになる期待度が高く）なるように構成されている。具体的には、装飾部材６１のレンズ部６２が、レンズカバー部材８１の下から一番目に配置されたレンズ部８２に重なる位置を初期位置とし、遊技の進行度合いに応じて大当たりになる期待度が高くなるにつれて、装飾部材６１のレンズ部６２が、レンズカバー部材８１の下から２番目のレンズ部８２、３番目のレンズ部８２、４番目のレンズ部８２に重なるように段階的に上がるように構成されている。そして、装飾部材６１のレンズ部６２が、下から５番目のレンズ部８２に重なるように移動したときに、例えば大当たりになるような構成されている。
【００３７】
尚、ＬＥＤ基板９１のＬＥＤ９２は、装飾部材６１のレンズ部６２が、レンズカバー部材８１の５つのレンズ部８２にそれぞれに重なるように配置されたときに、発光するように遊技機１が備える制御回路等によって制御されており、装飾部材６１のレンズ部６２が、レンズカバー部材８１のいずれかのレンズ部８２に重なっているかが遊技者に報知されるようになっている。
【００３８】
移動部材７１は、モータ（電気的駆動源）７６と、このモータ７６が収容されるモータケース７２と、このモータケース７２に前面側から装着されるモータカバー７５と、連結部材７８などを備えている。
【００３９】
図７および図８（ｂ）に示されるように、モータケース７２の背面には、平歯車からなるピニオン（回転体）７７が設けられている。このピニオン７７は、モータケース７２の背面から突出したモータ７６の駆動軸７６ａにその中心が固定されており、その駆動軸７６ａと一体回転可能に構成されている。
【００４０】
また、図７および図８（ｂ）に示されるように、モータケース７２の背面の右側には、一対の支持部７３，７３が設けられている。この支持部７３は、モータケース７２の背面から背面側に突出した円柱形状のピン７２ａと、このピン７２ａの外周に設けられた円筒形状のローラー部材７４を有している。ローラー部材７４は、ピン７２ａの外周に緩く嵌合するように装着されて回転可能に構成されている。
【００４１】
このような移動部材７１に内蔵されるモータ７６としては、ステッピングモータが適用されており、ピニオン７７を正転方向に所定回転数で回転させたり、その正転方向とは反対の反転方向に所定回転数で回転させたりすることが可能になっている。このモータ７６にはコネクタ部７６ｂが設けられており、モータ７６は、遊技機１が備える制御回路等とこのコネクタ部７６ｂおよび図示しないケーブルを介して電気的に接続されて、制御回路等によってモータ７６の駆動が制御可能となっている。
【００４２】
このようなモータ７６が内蔵された移動部材７１は、右側に膨らんだ円弧形状を有するベース体１０２とこのベース体１０２の前面に取り付けられる同じく右側に膨らんだ円弧形状を有するカバー体１０１の内部に配されるようになっている。
【００４３】
図６および図９に示されるように、ベース体１０２には、移動部材７１の背面に設けられたピニオン（回転体）７７の歯部７７ａに噛み合う歯部１０３ａを有するラック（第１レール）１０３が左側に設けられている。このラック１０３はその全周にわたって同じ曲率になるように右側に膨らんだ円弧形状を有しており、複数の歯部１０３ａがその円弧形状に沿うように右側（外周側）に形成されている。この場合、図９に示されるように、移動部材７１の背面に設けられたピニオン７７の歯部７７ａが、このラック１０３の歯部１０３ａに噛合（係合）しつつ、ピニオン７７がラック１０３に沿って転動することで、移動部材７１が円弧状に移動可能となっている。
【００４４】
また、ベース体１０２には、このラック（第１レール）１０３に平行で右側に膨らんだ円弧形状を有するガイドレール（第２レール）１０４が設けられている。このガイドレール１０４もその全周にわたって同じ曲率になるように円弧形状に形成されている。このガイドレール（第２レール）１０４の前面は、背面側に向かって凹設されることにより溝状に開口されており、その内部に移動部材７１の背面に設けられた支持部７３，７３（ローラー部材７４，７４）が挿入されるようになっている。具体的には、支持部７３，７３の回転可能なローラー部材７４，７４が、ガイドレール１０４内で摺動可能（転動可能）に配置される。以上の構成から、後述するピニオン（回転体）７７と支持部７３，７３（ローラー部材７４，７４）の移動の軌跡は平行な位置関係を維持するようになっている。
【００４５】
この場合、ローラー部材７４は、ポリアセタールからなる樹脂材料から成形されている。このポリアセタールは、通常の樹脂材料に比べてガイドレール１０３に接触して移動する際の摩擦力が小さい樹脂材料である。したがって、支持部７３，７３がガイドレール１０４に沿って移動する際に、そのガイドレール１０４の内壁に沿ってローラー部材７４，７４が回転することで、移動部材７１が引っ掛かりなくよりスムーズに移動するように構成されている。
【００４６】
この場合、移動部材７１の２つの支持部７３，７３のうちその移動部材７１の進行方向に対して前方に配置される支持部７３は、後方に配置された支持部７３よりも、移動部材７１が移動する際のガイドレール１０４からの力が主に加わるように配置されている。つまり、移動部材７１に設けられた２つの支持部７３，７３のうち進行方向に対して前方に配置された支持部７３には、移動部材７１が移動する際の曲線形状を有するガイドレール１０４からの力を主に受けるような機能を持たせると共に、後方に配置された支持部７３は移動部材７１の進行方向を変更させないようにガイドする機能を持たせるように構成することで、移動部材７１（装飾部材６１）が正規の進行方向から逸脱しないように抑制することができる。
【００４７】
具体的には、移動部材７１の進行方向が上方である場合には、上側に配置される支持部材７３が、ガイドレール１０４からの力を主に受けるような機能を有すると共に、下側に配置される支持部材７３が、移動部材７１の進行方向を変更させないようにガイドする機能を有することになる。また、逆に、移動部材７１の進行方向が下方である場合には、下側に配置される支持部材７３が、ガイドレール１０４からの力を主に受けるような機能を有すると共に、上側に配置される支持部材７３が、移動部材７１の進行方向を変更させないようにガイドする機能を有することになる。
【００４８】
尚、円柱形状を有するピン７２ａ，７２ａをローラー部材７４の外径と同じ大きさに形成すると共に、そのピン７２ａ，７２ａ自体をポリアセタールなどの摩擦係数の低い樹脂材料で成形することで、このような回転するローラー部材７４，７４を必要としない構成にしても良い。この場合も、移動部材７１をガイドレール１０４に沿って引っ掛かりなくよりスムーズに移動させることが可能である。
【００４９】
移動部材７１が備えるモータケース７２には、板状の取付部７２ｂが側方（左側）に向かって突出形成されている。図６に示されるように、ベース体１０２の左側壁の前端縁には、その長手方向に沿って切欠部が形成されており、更に、図７に示されるように、カバー体１０１の左側壁の後端縁には、その長手方向に沿って切欠部が形成されており、これら切欠部どうしが合わさることで、図５に示されるようなスリット１０５が開口形成されるようになっている。つまり、ベース体１０２およびカバー体１０１からなる筐体の左側面に円弧状のスリット１０５が開口形成されている。この場合、図５および図９に示されるように、モータケース７２の取付部７２ｂがこのスリット１０５から外側（左側）に露出（突出）するように配置される。
【００５０】
このようなスリット１０５から外側に露出されるように配置されたモータケース７２の取付部７２ｂには、連結部材７８の背面がネジ止めによって固定される。また、連結部材７８の前面には、装飾部材６１の左側の端部の背面がネジ止めによって固定可能になっている。したがって、装飾部材６１は、この連結部材７８によって移動部材７１に対して前面側に所定の距離隔てた状態で固定されるようになっている。具体的には、装飾部材６１は、連結部材７８によってレンズカバー部材８１の前面からやや浮いた状態になるように配置される。
【００５１】
図１０に示されるように、移動部材７１には、２つの支持部７３，７３のそれぞれの中心を結ぶ線分Ｌ１の中間点Ｃからその線分Ｌ１に直角になるように延びた線Ｌ２上にピニオン（回転体）７７の回転の中心（モータ７６の駆動軸７６ａの中心）が位置するように２つの支持部７３，７３およびピニオン７７が配置されている。
【００５２】
この場合、２つの支持部７３，７３のそれぞれの中心を結ぶ線分Ｌ１の中間点Ｃが中点である構成になっている。このような構成、すなわち、一方の支持部７３の中心Ａ、ピニオン（回転体）７７の回転中心Ｂ、線分Ｌ１の中点Ｃとが成す角度（∠ＡＢＣ）と、他方の支持部７３の中心Ｄ、ピニオン（回転体）７７の回転中心Ｂ、線分Ｌ１の中点Ｃとが成す角度（∠ＤＢＣ）が同じである構成（言い換えると、二等辺三角形の頂角の点にピニオン７７の回転中心を配置し、左右の底角の２点に２つの支持部７３，７３の中心をそれぞれ配置した構成）になっているので、移動部材７１の曲線状（円弧状）に沿った上方向および下方向のいずれの方向への移動が、がたつきなく安定したスムーズなものになっている。尚、本実施例では、中間点Ｃが２つの支持部７３，７３のそれぞれの中心を結ぶ線分Ｌ１の中点であるが、それに限るものではなく、線分Ｌ１の中間点であれば中点Ｃ以外の構成でも良い。この場合、ピニオン（回転体）７７の回転の中心Ｂと、線分Ｌ１の中間点を結ぶ線Ｌ２は、２つの支持部７３，７３のそれぞれの中心Ａまたは中心Ｄ上に無いほうが、安定して移動部材７１が移動するため、好ましい。
【００５３】
図７および図８（ｂ）に示されるように、モータケース７２の下側の支持部７３の近傍には、後方に向かって突出した位置検出用突起部７２ｃが形成されている。この位置検出用突起部７２ｃは、ベース体１０２のガイドレール１０４に平行でその外側位置（右側位置）で円弧状に延びるように開口された位置検出用スリット１０２ａに挿入可能になっており、その位置検出用スリット１０２ａから後方に向かって所定長さ突出する長さを有している。この場合、図５および図７に示されるように、位置検出用突起部７２ｃは、位置検出用スリット１０２ａの下端の背面に取り付けられるセンサ基板１１１の前面に実装された初期位置検出センサ１１２の対向検出部１１２ａ，１１２ａの間に受容可能に配置されるようになっている。
【００５４】
センサ基板１１１は、ベース体１０２の位置検出用スリット１０２ａの下端の背面に取付固定される。センサ基板１１１の前面には初期位置検出センサ１１２が実装されており、この初期位置検出センサ１１２の対になって設けられた対向検出部１１２ａ、１１２ａの内部には、図示しない位置検出素子が内蔵されている。これら一対の位置検出素子は、相互間で信号（例えば赤外線）を送受信することが可能になっている。このような対向検出部１１２ａ，１１２ａによる信号の送受信は、上述したモータケース７２の位置検出用突起部７２ｃによって遮ることが可能になっている。
【００５５】
このようなモータケース７２の位置検出用突起部７２ｃが、対向検出部１１２ａ，１１２ａの間に配置されることにより、対向検出部１１２ａ，１１２ａによる信号の送受信が不能となるので、この状態を初期位置（原点または基準位置）として、モータ７６によってピニオン７７を所定回転数で回転させることで、移動部材６１を所定距離で移動させることが可能になっている。これにより、装飾部材６１のレンズ部６２を、レンズカバー部材８１の５つのレンズ部８２のそれぞれに重なる位置に停止させることが可能になっている。
【００５６】
尚、センサ基板１１１の背面には、コネクタ部１１１ａが設けられており、センサ基板１１１は、遊技機１が備える制御回路等とこのコネクタ部１１１ａおよび図示しないケーブルを介して電気的に接続されて、制御回路等からの初期位置検出センサ１１２への電源の供給や、制御回路等による初期位置検出センサ１１２からの検出信号の受信が可能になっている。
【００５７】
上述したような装飾部材６１と、装飾部材６１を移動させる移動機構を備えた可動演出装置５０によれば、移動機構は、装飾部材６１に一体にまたは別体に設けられ、電気的駆動源７６とその電気的駆動源７６からの駆動力により回転する回転体７７と２つの支持部７３，７３とを有した移動部材７１と、移動部材７１の回転体７７が転動可能に係合する曲線形状を有する第１レール１０３とその第１レール１０３と平行な曲線形状を有して移動部材７１の２つの支持部７３，７３が摺動可能に係合する第２レール１０４とが形成されたベース体１０２とを備えた構成になっている。この場合、移動部材７１には、２つの支持部７３，７３を結ぶ線分の中間点からその線分に直角に延びた線上に回転体７７の回転の中心が位置するように２つの支持部７３，７３および回転体７７が配置された構成になっている。
【００５８】
したがって、このような構成によれば、興趣を向上させるために移動部材７１の移動の軌跡を単調な直線ではなく曲線に構成する際のその移動部材７１の曲線状の移動を、がたつきを抑制してスムーズにすることができる。これにより装飾部材６１の移動態様を多様化させることができ、従来よりもその演出効果を高くすることに貢献する。
【００５９】
この場合、移動部材７１の２つの支持部７３，７３のうちその移動部材７１の進行方向に対して前方に配置される支持部７３は、後方に配置された支持部７３よりも、移動部材７１が移動する際の第２レール１０４からの力が主に加わるように配置されている構成にするのが好ましい。このような構成によれば、移動部材７１に設けられた２つの支持部７３，７３のうち進行方向に対して前方に配置された支持部７３には、移動部材７１が移動する際の曲線形状を有する第２レール１０４からの力を主に受けるような機能を持たせると共に、後方に配置された支持部７３は移動部材７１の進行方向を変更させないようにガイドする機能を持たせることで、移動部材７１（装飾部材６１）が正規の進行方向から逸脱しないように抑制することができる。
【００６０】
また、２つの支持部７３，７３を結ぶ線分の中間点が中点である構成にするのが好ましい。このような構成、すなわち、一方の支持部７３の中心Ａ、回転体７７の回転中心Ｂ、２つの支持部７３，７３を結ぶ線分の中点Ｃとが成す角度（∠ＡＢＣ）と、他方の支持部７３の中心Ｄ、回転体の回転中心Ｂ、２つの支持部７３，７３を結ぶ線分の中点Ｃとが成す角度（∠ＤＢＣ）が同じである構成（言い換えると、二等辺三角形の頂角の点に回転体７７の回転中心を配置し、左右の底角の２点に２つの支持部７３，７３の中心をそれぞれを配置した構成）になっているので、移動部材７１の曲線状の移動をがたつきを低減し、安定したスムーズなものとすることが可能である。
【００６１】
更に、ベース体１０２の第１レール１０３および第２レール１０４は円弧形状を有している構成にすれば、興趣を向上させるために移動部材７１の移動の軌跡を単調な直線ではなく円弧に構成する際のその移動部材７１の円弧状の移動を、がたつきを抑制してスムーズにすることができると共に、その演出効果を高くすることが可能である。
【００６２】
そして、支持部７３，７３は、第２レール１０４に係合して転動可能なローラー部材７４，７４を有している構成にすると良い。このような構成によれば、２つの支持部７３，７３の第２レール１０４に沿った摺動移動が滑らかになるので、移動部材７１（装飾部材６１）の曲線状の移動をがたつきなく安定したスムーズなものとすることが可能である。更に、第１レール１０３はラックであると共に、回転体７７はそのラックに噛み合うピニオンである構成にすれば、簡易な構成で移動部材７１（装飾部材７１）を曲線状に移動させることが可能である。
【００６３】
以上本発明に係る遊技機の実施の形態について説明したが、上述した実施の形態に何ら限定されるものではなく、本発明の趣旨を逸脱しない範囲で種々の改変が可能である。
【００６４】
例えば、上述した実施形態では、移動部材７１（装飾部材６１）の移動の軌跡は円弧を描くような構成のものであるが、円状の軌跡や右側に膨らんだ円弧と左側に膨らんだ円弧が繋がったような種々なる曲線を描くような軌跡で移動させる構成のものにも適用可能である。また、移動部材７１は往復移動する構成について説明したが、一方向にのみ移動し続ける構成でも良い。
【００６５】
このような構成のいずれにおいても、移動部材７１には、２つの支持部７３，７３を結ぶ線分の中間点からその線分に直角に延びた線上にピニオン（回転体）７７の回転の中心が位置するように２つの支持部７３，７３およびピニオン（回転体）７７が配置されていれば、曲線形状を有するラック（第１レール）１０３およびガイドレール（第２レール）１０４に沿った移動部材７１（装飾部材６１）の曲線移動をがたつきなくスムーズなものとすることが可能である。
【００６６】
また、移動部材７１に支持部７３を２つ設けた構成について説明したが３つ以上設けた構成でも良い。更に、円弧状のラック１０３の外周側に歯部１０３ａを設けて、これに噛み合うようにピニオン７７をその外周側に配置した構成について説明したが、円弧状のラック１０３の内周側に歯部１０３ａを設けて、これに噛み合うようにピニオン７７をその内周側に配置した構成でも良い。また、移動部材７１に設けられた支持部７３，７３の間の距離は、移動部材７１の移動を更に安定させるために上述した実施形態よりも長く設定しても良く、上述した実施形態には限定されない。
【符号の説明】
【００６７】
１：遊技機    ５：遊技盤    ６：遊技領域    １７：表示装置
１７ａ：表示部    ３０：センター役物    ４０：前面側装飾部材
４０ｂ：カバー体    ４１：センターベース    ５０：可動演出装置
６１：装飾部材    ６２：レンズ部    ７１：移動部材
７２：モータケース    ７２ａ：ピン    ７２ｂ：取付部
７２ｃ：位置検出用突起部    ７３：支持部    ７４：ローラー部材
７５：モータカバー    ７６：モータ    ７６ａ：駆動軸
７７：ピニオン    ７７ａ：歯部    ７８：連結部材
８１：レンズカバー部材    ８２：レンズ部    ９１：ＬＥＤ基板
９２：ＬＥＤ    １０１：カバー体    １０２：ベース体
１０２ａ：位置検出用スリット    １０３：ラック（第１レール）
１０３ａ：歯部    １０４：ガイドレール（第２レール）
１０５：スリット    １１１：センサ基板    １１２  初期位置検出センサ
【図１】
2012065754.tif 000003
【図２】
2012065754.tif 000004
【図３】
2012065754.tif 000005
【図４】
2012065754.tif 000006
【図５】
2012065754.tif 000007
【図６】
2012065754.tif 000008
【図７】
2012065754.tif 000009
【図８】
2012065754.tif 000010
【図９】
2012065754.tif 000011
【図１０】
2012065754.tif 000012